(57)【要約】【課題】  生爪に固着することが困難と見られていた立体的なデコレーションであっても、その取り付けを確実かつ容易にすることができる新規なネイルアクセサリーの開発を試みたものである。【解決手段】  本発明のネイルアクセサリー１は、爪Ｎの表面に固定状態に取り付けられる立体形状のアクセサリーであって、オーナメント本体１１の基部に面形成パテ１２が設けられ、且つ面形成パテ１２の底面は爪Ｎの表面に沿うような平面状に形成されていることを特徴として成るものである。【選択図】図１
2015092979.tif 000002
【特許請求の範囲】
【請求項１】
爪の表面に固定状態に取り付けられる立体形状のアクセサリーであって、オーナメント本体の基部に面形成パテが設けられ、且つ面形成パテの底面は爪の表面に沿うような平面状に形成されていることを特徴とするネイルアクセサリー。
【請求項２】
前記面形成パテの周縁には、リング枠が設けられていることを特徴とする前記請求項１記載のネイルアクセサリー。
【請求項３】
前記リング枠は、金属線を螺旋巻きして短筒状に形成したものであることを特徴とする前記請求項１または２記載のネイルアクセサリー。
【請求項４】
前記リング枠は、オーナメント本体の一部、またはオーナメント本体と共にオーナメント要素として構成されていることを特徴とする前記請求項１、２または３記載のネイルアクセサリー。
【発明の詳細な説明】
【技術分野】
【０００１】
本発明は、指先の爪に施すデコレーションに関するものであって、特に爪に設ける立体形状のネイルアクセサリーに係るものである。
【背景技術】
【０００２】
主として女性の爪の装飾手法として、いわゆるネイルアートを施すことが普及している。この手法は、生爪そのものに種々の装飾したもの、あるいは付け爪や、生爪の先端に固形化する樹脂材料を施して爪先を伸ばし、加飾範囲を広げるような手法が採られている。
ところで爪に単なる平面描写的なデコレーションを描く手法を超えて、立体的な装飾を施すとなると、その固着が確実でなければならない。このため付け爪に強固な接着剤で立体的なオーナメント本体を固着し、付け爪を付け替えることで爪に立体的な装飾を施す手法が用いられていた。
このような手法が常識的な手法として認識された結果、生爪に対して直接立体的なデコレーションを施すことは、不可能ないしは不向きなものと理解され、それ以上の工夫はされていなかった。
もちろん生爪に対し立体装飾を施すため、磁力を利用する提案もされているが、生爪への磁性体の形成が現実には充分できず実用化には至ってない（先行技術文献１）。
【先行技術文献】
【特許文献】
【０００３】
【特許文献１】特開２０１１−１２５４３２号公報
【発明の概要】
【発明が解決しようとする課題】
【０００４】
本発明は、このような背景を考慮してなされたものであって、生爪に固着することが困難と見られていた立体的なデコレーションであっても、その取り付けを確実かつ容易にすることができる新規なネイルアクセサリーの開発を試みたものである。
【課題を解決するための手段】
【０００５】
請求項１記載のネイルアクセサリーは、爪の表面に固定状態に取り付けられる立体形状のアクセサリーであって、オーナメント本体の基部に面形成パテが設けられ、且つ面形成パテの底面は爪の表面に沿うような平面状に形成されていることを特徴として成る。
【０００６】
請求項２記載のネイルアクセサリーは、前記求項１記載の要件に加え、前記面形成パテの周縁には、リング枠が設けられていることを特徴として成る。
【０００７】
請求項３記載のネイルアクセサリーは、前記請求項１または２記載の要件に加え、前記リング枠については、金属線を螺旋巻きして短筒状に形成したことを特徴として成る。
【０００８】
請求項４記載のネイルアクセサリーは、前記請求項１、２または３記載の要件に加え、前記リング枠については、オーナメント本体の一部、又はオーナメント本体とともにオーナメント要素として構成されていることを特徴として成る。
【発明の効果】
【０００９】
まず請求項１記載の発明によれば、オーナメント本体の基部に設けられる面形成パテは、その底面が爪の表面に沿うような平面状に形成されているから、爪との間に粘着剤を介在させることにより、使用者自身の爪の表面に立体形状のアクセサリーを施すことができ、多様な装飾効果を得られる。
【００１０】
また請求項２記載の発明によれば、面形成パテの周縁には、リング枠が設けられており、このものが面形成パテの枠として作用し、パテをオーナメント本体の基部に確実に形成させることができる。
【００１１】
また請求項３記載の発明によれば、前記リング枠が、金属線を螺旋巻きして短筒状に形成したものであり、その内周面は、ねじ山状に形成されるから、凹凸形状あるいはねじ山状の形状を利用してオーナメント本体を確実に保持するような構成をとることができる。
【００１２】
また請求項４記載の発明によれば、前記リング枠は、オーナメント本体の一部、またはオーナメント本体と共にオーナメント要素として構成され、このリング枠は、単に機能部材を超えて装飾部材の一部として装飾効果を発揮することができる。
【図面の簡単な説明】
【００１３】
【図１】本発明のネイルアクセサリーの使用状態を示す斜視図（ａ）、並びに拡大側面図（ｂ）である。
【図２】同上蛙瞰状態の斜視図である。
【図３】同上リング枠とオーナメント本体との係合状態を一部拡大して示す縦断側面図である。
【図４】同上他の実施例を２例示す側面図である。
【図５】同上更に他の実施例を示す一部縦断側面図である。
【図６】同上更に他の実施例を示す縦断側面図である。
【図７】同上リング枠の他の実施例を２例示す斜視図である。
【図８】同上リング枠の他の実施例を示す説明図である。
【発明を実施するための形態】
【００１４】
本発明を実施するための形態は、以下述べる実施例をその一つとするものであると共に、この技術思想に基づく種々の改良した実施例も含むものである。
【実施例１】
【００１５】
以下、本発明を図示の実施例に基づいて具体的に説明する。
まず図１において基本的な実施例を示すものであって、本発明のネイルアクセサリー１は、使用者の指Ｆの先端部の爪Ｎの上面に取り付けられて、この部位を立体的に装飾する。なお、この図１に示すものは、使用者自身の爪Ｎ、いわゆる生爪であるが、その先端部はアクリル系合成樹脂等の合成樹脂を延長成形して形成した爪先部Ｎａを具える。
また本発明のネイルアクセサリー１は、生爪の部位に固定することが安定的であるが、更に爪先部Ｎａのとの境界部あるいはそれより先端部側に取り付けてもよい。
【００１６】
以下、ネイルアクセサリー１説明する。このものは、基本的には立体形状のアクセサリーであって、オーナメント本体１１に対して、その基部に固化した状態であっても比較的柔軟性を保たれる例えばポリウレタン系等の合成樹脂を適用した面形成パテ１２が設けられ、更にこれを取り巻くようにリング枠１３が設けられている。面形成パテ１２とリング枠１３とオーナメント本体１１とは、互いに固着された状態に構成されている。
【００１７】
以下これら各部材を説明する。まずオーナメント本体１１は、適宜の装飾模様を具えたものであり、例えば図１（ｂ）に示すような花弁状のもの、あるいは図４（ａ）に示すような宝石状のものなど、適宜の装身用アクセサリーに用いられているものを適用することができる。例外的なものとして図４（ｃ）に示すような意外性を持ったフェザー状のものも適用し得る。
【００１８】
このオーナメント本体１１の基部側に対し、面形成パテ１２が固着状態に設けられる。このものは一例として扁平な円盤状を形成し、柔軟な状態を保ち、且つオーナメント本体１１とは直接充分な接着が行われている。面形成パテ１２の下面は、基本的には平面を構成し、爪Ｎの表面に密着するような構成をとる。この面形成パテ１２の周囲はリング枠１３により囲まれており、例えば現実の製造プロセスをみると例えばオーナメント本体１１とリング枠１３とを適宜接着剤等で固着し、その間に未硬化のポリウレタンアクリルレート等を主材とした面形成パテ１２を充填し、面形成パテ１２の底面側をスキージ処理等で平滑化し、加熱又は常温下で硬化させる。
【００１９】
リング枠１３は、一例として金属線を短筒状に螺旋巻きに構成したものであり、装飾効果を高めるため、金、銀、その他のカラー処理をめっき、塗装等で施すことが好ましい。このようにしたときには、リング枠１３自体は単に面形成パテ１２の成形枠機能に留まらず、オーナメント要素として装飾的な機能を担うことができる。
【００２０】
このようなネイルアクセサリー１を用いるためには、図２に示すように面形成パテ１２の底面にほぼ合致した寸法の粘着剤２を用いて、爪Ｎ等の表面にこれを取り付けるようにする。実際の商品としては、粘着剤２は予め面形成パテ１２の底面に一面で固着状態に張り付けられており、他面は剥離紙２１を設けておき、使用者は、この剥離紙２１を剥がして爪Ｎに固着して使用する。
【００２１】
なおこのような粘着剤２は、通常の使用では、ほぼ剥離することがない強度を得られているが、指先の力でこれを剥がすことができる。既に爪への攻撃性がないよう安全性が確認されている付け爪用の両面粘着シートを用いることが好ましい。
従ってネイルアクセサリー１自体は、一時的に使用可能であることは勿論であり、加えてこのような使用を経るに従い粘着剤２の粘着力が低下するが、このような場合には粘着剤２を別途供給し、粘着剤２自体を張り替えて使用することができる。
なおこのときオーナメント本体１１の基部の形態によっては、図３に示すように基部の凹凸が外側に向かうような形状となっている場合もあるが、前記リング枠１３が金属線材が螺旋巻きにされているときには、内側に形成される螺旋溝に突出部位が食い込む状態となることがあり、これによりリング枠１３とオーナメント本体１１との組み付けが、より確実になる。
【００２２】
〔他の実施の形態〕
本発明は以上述べた実施の形態を一つの基本的な技術思想とするものであるが、更に次のような改変が考えられる。
まず図４にオーナメント本体１１のバリエーションを示す。図４（ａ）に示すものは、先に述べたように例えば宝石状のオーナメント本体１１の例である。
また図４（ｂ）に示す実施例は、例えば宝石状のオーナメント本体１１に対し、別途リング枠１３を利用して別体オーナメント１１ａを適宜のチェーン１１ｂで接続するようにしたものである。
【００２３】
更にまた図５に示す実施例は、オーナメント本体１１のバリエーションを増やす他の手法の一例であり、リング枠１３を金属線を螺旋巻きに短筒状に形成した場合の内側のメネジ状となる溝を利用して、オーナメント本体１１を付け替え自在な構成とするものである。
即ちオーナメント本体１１に別途基部接続部１５を設け、その外周にオネジ１６を形成して、これをリング枠１３に対して捻じ込むことができるようにする。この場合リング枠１３の高さ方向の寸法の半分の部位程度に面形成パテ１２が設けられている。このような基部構造を具えたオーナメント本体１１について、例えば花弁状のものや、宝石状のものを適宜付け替えて、装飾のバリエーションを増やすことができる。
【００２４】
更にまたネイルアクセサリー１自体に他の装飾機能を付加する方法として、図６に示すものは、ＬＥＤ等を用いた発光素子３をオーナメント本体１１内を組み込み、発光できるようしたものである。
【００２５】
更にまた図７に示すものは、リング枠１３の他の実施例であり、図７（ａ）に示すものは、単なる円環状の帯状部材で構成したリング枠１３であり、図７（ｂ）に示すものは、平面視星型形状をした枠体である。
【００２６】
更にまた図８に示すものは、オーナメント本体１１についての他の実施例であり、オーナメント本体１１自体がドーム状のオーナメントカバー１１ｃを具えたものである。具体的形態としては、図８（ｂ）に示す形態が挙げられるものであって、このものはクリアまたは淡色の透明樹脂のオーナメントカバー１１ｃを充実体としその中に花弁状等のオーナメント主材１１ｄが埋め込まれた形態である。また同図（ｃ）に示すものは、オーナメントカバー１１ｃの内部を中空状としたものである。更に同図（ｄ）に示すものは、オーナメントカバー１１ｃの下方をリング枠１３として一体形成したものである。更にまた同図（ｅ）に示すものは、オーナメントカバー１１ｃをその下部ベース１１ｅとドームキャップ１１ｆとに２分割できるようにし、相互に嵌込キャッチ１１ｇ、１１ｈを具え、内部のオーナメント要素１１ｄを付け替えを自在としたものである。なお外観形状は、いずれも図８（ａ）に示すような形態を採る。
【符号の説明】
【００２７】
Ｎ      爪
Ｎａ    爪先部
Ｆ      指
１      ネイルアクセサリー
１１    オーナメント本体
１１ａ  別体オーナメント
１１ｂ  チェーン
１１ｃ  オーナメントカバー
１１ｄ  オーナメント主材
１１ｅ  下部ベース
１１ｆ  ドームキャップ
１１ｇ  嵌込キャッチ
１１ｈ  嵌込キャッチ
１２    面形成パテ
１３    リング枠
１５    基部接続部
１６    オネジ
２      粘着剤
２１    剥離紙
３      発光素子
【図１】
2015092979.tif 000003
【図２】
2015092979.tif 000004
【図３】
2015092979.tif 000005
【図４】
2015092979.tif 000006
【図５】
2015092979.tif 000007
【図６】
2015092979.tif 000008
【図７】
2015092979.tif 000009
【図８】
2015092979.tif 000010